(57)【特許請求の範囲】
【請求項１】
掃除機本体の下部に車輪を設け、掃除機本体の内部に電動送風機および集塵室を有すると共に、前記集塵室の後側内壁面に電動送風機に通じる排気口を形成した電気掃除機であって、
前記掃除機本体の上部に集塵室を開閉する蓋を形成し、掃除機本体前面にホースが接続される吸入口を形成し、
前記集塵室内部に、紙パックを着脱自在に装着するバスケットが着脱自在に設けられ、
前記バスケットは、前壁と、底壁と、側壁とを有し、前記前壁に掃除機本体の吸入口に連通する接続口を形成すると共に、前記バスケットにバスケット持ち運び用の取っ手を形成し、
前記紙パックの有無を確認できるように、前記紙パックが未装着の時に蓋が閉まらない機構を備えてなる電気掃除機。
【請求項２】
掃除機本体の下部に車輪を設け、掃除機本体の内部に電動送風機および集塵室を有すると共に、前記集塵室の後側内壁面に電動送風機に通じる排気口を形成した電気掃除機であって、
前記掃除機本体の上部に集塵室を開閉する蓋を形成し、掃除機本体前面にホースが接続される吸入口を形成し、
前記集塵室内部に、紙パックを着脱自在に装着するバスケットが着脱自在に設けられ、
前記バスケットは、前壁と、底壁と、側壁とを有し、前記前壁に掃除機本体の吸入口に連通する接続口を形成すると共に、前記バスケットにバスケット持ち運び用の取っ手を形成し、
前記紙パックが未装着の時に蓋が閉まらないように、蓋の内面に設けられたリブに、前記紙パック固定用のクランプが当たるよう構成してなる電気掃除機。
【請求項３】
前記蓋の内面に、前記バスケットを前記集塵室内の所定位置に押し込むための押込部を設けたことを特徴とする請求項１または請求項２記載の電気掃除機。
【発明の詳細な説明】
【０００１】
【発明の属する技術分野】
本発明は電気掃除機に関する。さらに詳しくは掃除機本体の集塵室内部にバスケットを備えた電気掃除機に関する。
【０００２】
【従来の技術】
従来より、集塵室内部にバスケットを備えた電気掃除機が種々提案されている。とくに近年では、紙パックを容易に集塵室から着脱できるように、集塵室内部に紙パック装着用のバスケットが設けられた掃除機が採用されている。
【０００３】
従来より用いられるバスケットは、紙パックが装着されていないときでもバスケット内部に集塵できるように、箱形を呈しており、バスケットの側壁および底面には通気用の開口が形成され、この開口にはフィルタなどが貼りつけられている。
【０００４】
このようなバスケットを備えた電気掃除機では、掃除を終えて紙パックを交換するときには、まず、掃除機本体上部の蓋を開けて集塵室からバスケットを取り出し、バスケット内の紙パックを新しいものと交換し、再びバスケットを集塵室へ装着し、最後に蓋を閉める。または、紙パックなしで使用する場合には前述の紙パックの交換の代わりにバスケットに直接ためられたゴミを捨て、その他の動作は紙パックありの場合と共通する。
【０００５】
【発明が解決しようとする課題】
しかし、従来のバスケットを備えた電気掃除機の場合、紙パック交換時などにおいて、バスケットを集塵室から取り外した後、バスケットが装着されていないまま、うっかり蓋を閉めて掃除をしてしまうことがある。この場合、集塵室内に直接ゴミなどが充満するという問題が生じる。
【０００６】
また、バスケットを集塵室に装着しても所定位置に正確に装着されていない状態で蓋を閉めると、掃除機本体側の吸入口（ホース接続口）とバスケット側の接続口（ホース接続口）とが一致せず、ホースが挿入できないという不都合が生じる。
【０００７】
本発明はかかる問題を解消するためになされたものであり、バスケットが装着されていなかったり、または所定位置に正確に装着されていない状態であるか否かを容易かつ確実に確認できる電気掃除機を提供することを目的とする。
【０００８】
また、本発明は、蓋を閉めればバスケットを所定位置に正確に装着できる電気掃除機を提供することを目的とする。
【０００９】
【課題を解決するための手段】
本発明の請求項１に係わる電気掃除機は、掃除機本体の下部に車輪を設け、掃除機本体の内部に電動送風機および集塵室を有すると共に、前記集塵室の後側内壁面に電動送風機に通じる排気口を形成した電気掃除機であって、
前記掃除機本体の上部に集塵室を開閉する蓋を形成し、掃除機本体前面にホースが接続される吸入口を形成し、前記集塵室内部に、紙パックを着脱自在に装着するバスケットが着脱自在に設けられ、前記バスケットは、前壁と、底壁と、側壁とを有し、前記前壁に掃除機本体の吸入口に連通する接続口を形成すると共に、前記バスケットにバスケット持ち運び用の取っ手を形成し、前記紙パックの有無を確認できるように、前記紙パックが未装着の時に蓋が閉まらない機構を備えてなることを特徴とする。
【００１０】
本発明の請求項２に係わる電気掃除機は、掃除機本体の下部に車輪を設け、掃除機本体の内部に電動送風機および集塵室を有すると共に、前記集塵室の後側内壁面に電動送風機に通じる排気口を形成した電気掃除機であって、
前記掃除機本体の上部に集塵室を開閉する蓋を形成し、掃除機本体前面にホースが接続される吸入口を形成し、前記集塵室内部に、紙パックを着脱自在に装着するバスケットが着脱自在に設けられ、前記バスケットは、前壁と、底壁と、側壁とを有し、前記前壁に掃除機本体の吸入口に連通する接続口を形成すると共に、前記バスケットにバスケット持ち運び用の取っ手を形成し、前記紙パックが未装着の時に蓋が閉まらないように、蓋の内面に設けられたリブに、前記紙パック固定用のクランプが当たるよう構成してなることを特徴とする。
【００１１】
前記蓋の内面に、前記バスケットを前記集塵室内の所定位置に押し込むための押込部を設けることが好ましい。
【００１３】
【発明の実施の形態】
つぎに図面を参照しながら本発明の電気掃除機を詳細に説明する。図１は本発明の電気掃除機の一実施の形態を示す電気掃除機本体の蓋を開けた状態における斜視説明図、図２は図１のバスケットの拡大斜視図、図３は図１のバスケットの正面図、図４は図１のバスケットの側面図、図５は図１のバスケットの平面図、図６は図１のバスケットに紙パックを装着した状態を示す断面説明図、図７は図１の掃除機本体にバスケットおよび紙パックを装着した状態における部分切欠側面図および図８は図１の掃除機本体にバスケットを装着した状態における部分切欠平面図、図９は図１のポカ避け機構の部分拡大斜視図、図１０は図９のポカ避け機構の平面図、図１１は図９のポカ避け機構の正面図、図１２は図９のポカ避け機構の矢視Ａ図、図１３は図１の掃除機本体のバスケットが装着されていない状態を示す部分平面図、図１４は図１の掃除機本体のバスケットが装着されていない状態を示す断面説明図、図１５は図１の掃除機本体のバスケットが装着された状態を示す部分平面図、図１６は図１の掃除機本体のバスケットが装着された状態を示す断面説明図および図１７は図１の掃除機本体のバスケットが装着される途中の状態を示す断面説明図である。
【００１４】
図１および図７〜８に示される電気掃除機は、掃除機本体１の内部に電動送風機２および集塵室３を有しており、集塵室３内部には紙パック４（図７参照）を装着するためのバスケット５が着脱自在に設けられている。さらに、図１に示される電気掃除機は、バスケット５が所定位置に装着されていないときに蓋６が全閉するのを禁止するための機構４１（以下、ポカ避け機構という）を備えている。なお、図８にはポカ避け機構４１は省略されているが、図１５において詳細に示されている。
【００１５】
掃除機本体１の上部には、集塵室３を開閉するための蓋６が設けられている。また、掃除機本体１の下部には、掃除機本体１を床面を転がして移動できるように車輪７が設けられている。さらに、掃除機本体１の前面には、吸入口１ａが開口されており、かかる吸入口１ａにホースなど（図示せず）が接続される。また、集塵室３の後側の内壁面３ａには、前記電動送風機２に通じる排気口３ｂが形成されている。
【００１６】
バスケット５は、図２〜６に示されるように、上部および後部が開放された略箱形を呈しており、後面開口を取出口９としている。取出口９の下部開口縁に立壁（後壁）８が形成されている。バスケット５は、合成樹脂などによって作製される。さらに、バスケット５には、バスケット５の引き出しおよび運搬のための取っ手１６、前記紙パック４を固定するためのクランプ１７、および前記掃除機本体１および紙パック４に対するバスケット５のシール性を保つための円形のパッキン１４（詳細については後述されている）を備えている。
【００１７】
図２および図６に示されるように、紙パック４をバスケット５にセットする場合、紙パック４に固着された固定板１０を溝１５とクランプ１７とのあいだに嵌め込めばよい。反対に、紙パック４を取り出して廃棄する場合にはクランプ１７を上方へ回動するだけでよい。
【００１８】
ポカ避け機構４１は、バスケット５の装着の有無だけでなく、所定位置に有るか否かを確認するためのものであり、たとえば、図１および図９〜１７に示されるように、掃除機本体１の集塵室３の前部内壁に固着されたホルダ４２と、ホルダ４２に掃除機本体１の前後方向に揺動、すなわち蓋６と掃除機本体１とのあいだに介在する位置と集塵室３内側へ退避して集塵室３の閉塞を許容する位置とのあいだを揺動し得るように設けられたレバー４３と、レバー４３の一方の端部４３ａを蓋６と掃除機本体１とのあいだに介在する位置へ移動せしめる方向にレバー４３を付勢するバネ４４とから構成されており、レバー４３の他端部４３ｂがバスケット５の挿入により押圧されてレバー４３の一方の端部４３ａを集塵室３内側へ退避させるようになっている。
【００１９】
本実施の形態では、レバー４３を集塵室３の前部に設けて前後方向に揺動させる構成としたが、本発明はこれに限定されるものではなく、レバー４３が集塵室３の内外方向に揺動する構成であれば、たとえばレバー４３を集塵室３の側方に設けてもよい。
【００２０】
レバー４３の両側に突出形成された軸４６は、ホルダ４２に回転自在に支持されている。バネ４４は、圧縮コイルバネからなり、レバー４３の他方の端部４３ｂを外方に付勢するように圧縮された状態でホルダ４２に内蔵されている。バネ４４は、レバー４３に回転付勢力を与えるものであればよく、ねじりコイルバネなどの種々のバネを採用してもよい。
【００２１】
かかるポカ避け機構４１により、バスケット５が集塵室３に装着されていないときには、図１３〜１４に示されるように、レバー４３の一方の端部４３ａがバネ４４に付勢され、支点である軸４６を中心に本体開口端４５の上まで回動する。この状態で蓋６を閉じようとすると、蓋６と本体開口端４５とのあいだにレバー４３が挟まれるため、フタ６は全閉状態とならない。したがって、使用者は、蓋６が全閉とならないことで、バスケット５がまだ集塵室３に装着されていないことを容易かつ確実に確認することができる。
【００２２】
しかも、バスケット５が集塵室３内部の所定位置に正確に装着されていない場合も、蓋６と本体開口端４５とのあいだにレバー４３が挟まれるため、フタ６は全閉状態とならない。たとえば、バスケット５が前後方向に偏って装着された場合、レバー４３は回動して蓋６と本体開口端４５とのあいだに挟まれる。
【００２３】
また、バスケット５が上下方向に偏って装着された場合もレバー４３は揺動する。具体的には、図１６に示されるように、集塵室３の底面から突出する突起３６のテーパ部３６ａが、バスケット５の底面の凹部３５を前記吸入口１ａ側（前方側）に押圧するため、バスケット５は集塵室３の途中までまっすぐ下方へ挿入されるが、テーパ部３６ａによって前方へ押される。したがって、バスケット５が上下方向に偏って装着された場合も前後方向の場合と同様にレバー４３が反応する。
【００２４】
さらに、バスケット５が左右方向（本体幅方向）に偏って装着された場合も、バスケット５のテーパ部分（たとえば、図３に示されるバスケット５の両側下端のテーパ部）を備えているため、レバー４３は揺動する。
【００２５】
一方、バスケット５が集塵室３に所定位置に正確に装着されたとき、レバー４３の他方の端部４３ｂがバスケット５によって押圧されることにより、レバー４３は前記軸４６を中心に回動し、レバー４３の一方の端部４３ａが本体開口端４５から外れて集塵室３内側へ退避する。したがって、蓋６を全閉することができる。
【００２６】
なお、本発明のポカ避け機構は、本実施の形態のような紙パック装着用のバスケットだけでなく、紙パックなしのバスケットに対しても装着状態の確認を行なうことができることはいうまでもない。
【００２７】
また、図１６〜１７に示されるように、蓋６の内面には、バスケット５を集塵室３内の所定位置に押し込むための押込部４７が設けられている。そのため、蓋６を閉めるだけでバスケット５を集塵室３の奥へ押し込み、所定位置に容易かつ確実にセットすることができる。
【００２８】
しかも、前記集塵室３の内壁の少なくとも一部に、集塵室３の底面へ向かうにつれて前方へ向かう方向に傾斜する傾斜部として、たとえば、前記テーパ部３６ａ、および集塵室３の後方側のリブ４０のテーパ部４０ａが形成されている。そのため、押込部４７によってバスケット５を集塵室３の奥へ押し込むだけで、バスケット５がテーパ部３６ａ、４０ａによって前記吸入口１ａ側へ押されるため、所定位置に正確にセットすることができ、前記レバー４３は退避位置（本体開口端４５から外れた位置）へ回動して蓋６が閉まるようになる。
【００２９】
バスケット５の前壁１２には、前記掃除機本体１の吸入口１ａに連通する接続口１３が形成されており、当該接続口１３の周縁には、パッキン１４が設けられている。
【００３０】
図３および図６に示されるパッキン１４は、固定板１０に接触する半円形断面を呈する円環状のリング部１４ａと、ホースが差し込まれる接続口１３の円周面に嵌着される円環状の嵌着部１４ｂと、前記接続口１３を開閉自在におおう弁部１４ｃと、集塵室３の前壁３ｃの内面に接触する半円形断面を呈する円環状のリング部１４ｄとから構成されている。
【００３１】
リング部１４ａが隙間なく固定板１０に接触することにより、前壁１２と固定板１０とのあいだを気密的に封止する。それとともにリング部１４ｄが隙間なく集塵室３の内壁に接触することにより、集塵室３の内壁と前壁１２とのあいだを気密的に封止する。
【００３２】
さらに、図３および図６に示されるように、バスケット５にパッキン１４のリング部１４ｄの半円形状の最大外周部１４ｅを受けるためのリブ５ａが設けられているため、リング部１４ｄのめくれや引掛かりを防ぐことができる。
【００３３】
さらに、本実施の形態では、バスケット５の前壁１２に取っ手１６および前記クランプ１７が設けられている。具体的には、アーチ型形状を呈する取っ手１６が、当該取っ手１６の両端から下方に突設された爪１８（図３参照）によってバスケット５の前壁１２に固定されている。取っ手１６に囲まれる空間の内側には、クランプ１７が、両側面に突出形成された一対の軸１９（図３参照）によって揺動自在に取り付けられている。クランプ１７は、図６に示されるように、バネ２０によって前記固定板１０を挟持する方向に常時付勢されている。
【００３４】
かかる構造により、紙パック４を廃棄する場合、つぎのようにして行なう。まず、紙パック４をバスケット５に取り付けたまま、バスケット５を掃除機本体１から取っ手１６を持って引き出し、取っ手１６を手で持ったまま前壁１２側にあるクランプ１７を上方へ回動して外す。本実施の形態では、箱形のバスケット５の後面を取出口９とし、取っ手１６がバスケット５の前端部に取り付けられているため、取っ手１６を持ったときにバスケット５の後方が下がる。その結果、紙パック４を自然落下によって容易に廃棄することができる。したがって、取っ手１６を手で持ったままバスケット５を逆さまにすることなく紙パック４の廃棄作業を容易に行なうことができる。また、クランプ１７は、取っ手１６を持っている手で片手で操作でき、便利である。
【００３５】
一方、紙パック４を取り替える場合には、掃除機本体１の外で、バスケット５に紙パック４を装着し、そののち取っ手１６を持ってバスケット５を掃除機本体１に容易に装着することができる。
【００３６】
以上の実施の形態の電気掃除機は、バスケット５が所定位置に有るか否かを確認するためにポカ避け機構４１を備えているが、さらに紙パック４がないときに蓋６が閉まらないような紙パックの有無の確認をする機能も有している。たとえば、図７に示されるように、クランプ１７から上方に突起１７ａが突設され、かかる突起１７ａが、紙パック４が未装着のときには、蓋６の内面に設けられたリブ４８に当たって蓋６を閉まらないようにすればよい。
【００３７】
さらに、従来では、フィルタ付きのバスケットを紙パックなしで使用する際にゴミなどによるフィルタの目詰まりによって吸込性能が低下していたが、本実施の形態では、吸込性能の低下を防止するために、図２および図４に示されるように、紙パック４を用いることを前提として、バスケット５の少なくとも側壁１１に少なくとも１個の通気用の開口２２が形成されている。
【００３８】
また、図８に示されるように、バスケット５と掃除機本体１の集塵室３における内側の側壁２３とのあいだには、若干の隙間２４が形成されている。そのため、前記バスケット５の側壁１１の開口２２は、隙間２４および排気口３ｂを通して、前記電動送風機２に連通している。かかる構成により、開口２２への空気の流路が確保されるため、紙パック４内部に均一に吸い込み、紙パック４の後面だけでなく側面にもゴミをためることができ、吸込性能の低下を防止することができる。
【００３９】
開口２２は、図２および図７〜８に示されるバスケット５の底壁２５に形成することもでき、その場合も前述と同様に吸込性能の低下を防止することができるが、底壁２５に開口２２を形成する代わりに、図２および図７〜８に示されるように、紙パック４と底壁２５との密着を防ぐための面状の突起２６を突設すれば、バスケット５から集塵室３へゴミやチリなどがこぼれることなく、吸込性能の低下を防止することができる。
【００４０】
【発明の効果】
請求項１記載の発明によれば、紙パックが装着されていなかったり、または所定位置に正確に装着されていない状態であるか否かを、蓋が全閉できるか否かによって容易かつ確実に確認することができる。
【００４１】
また、請求項２記載の発明によれば、紙パックが装着されていなかったり、または所定位置に正確に装着されていない状態であるか否かを、蓋が全閉できるか否かによって容易かつ確実に確認することができる。
【図面の簡単な説明】
【図１】本発明の電気掃除機の一実施の形態を示す電気掃除機本体の蓋を開けた状態における斜視説明図である。
【図２】図１のバスケットの拡大斜視図である。
【図３】図１のバスケットの正面図である。
【図４】図１のバスケットの側面図である。
【図５】図１のバスケットの平面図である。
【図６】図１のバスケットに紙パックを装着した状態を示す断面説明図である。
【図７】図１の掃除機本体にバスケットおよび紙パックを装着した状態における部分切欠側面図である。
【図８】図１の掃除機本体にバスケットを装着した状態における部分切欠平面図である。
【図９】図１のポカ避け機構の部分拡大斜視図である。
【図１０】図９のポカ避け機構の平面図である。
【図１１】図９のポカ避け機構の正面図である。
【図１２】図９のポカ避け機構の矢視Ａ図である。
【図１３】図１の掃除機本体のバスケットが装着されていない状態を示す部分平面図である。
【図１４】図１の掃除機本体のバスケットが装着されていない状態を示す断面説明図である。
【図１５】図１の掃除機本体のバスケットが装着された状態を示す部分平面図である。
【図１６】図１の掃除機本体のバスケットが装着された状態を示す断面説明図である。
【図１７】図１の掃除機本体のバスケットが装着される途中の状態を示す断面説明図である。
【符号の説明】
１  掃除機本体
２  電動送風機
３  集塵室
４  紙パック
５  バスケット
８  後壁
９  取出口
４１  ポカ避け機構
４７  押込部
【図１】
0003540622.tif 000002
【図２】
0003540622.tif 000003
【図３】
0003540622.tif 000004
【図４】
0003540622.tif 000005
【図５】
0003540622.tif 000006
【図６】
0003540622.tif 000007
【図７】
0003540622.tif 000008
【図８】
0003540622.tif 000009
【図９】
0003540622.tif 000010
【図１０】
0003540622.tif 000011
【図１１】
0003540622.tif 000012
【図１２】
0003540622.tif 000013
【図１３】
0003540622.tif 000014
【図１４】
0003540622.tif 000015
【図１５】
0003540622.tif 000016
【図１６】
0003540622.tif 000017
【図１７】
0003540622.tif 000018